(57)【特許請求の範囲】
【請求項１】
スケール付着抑制装置の設置方法であって、
前記スケール付着抑制装置は、温泉水を移送する温泉水配管内で、ピグを、その外表面を前記温泉水配管の内壁面に接触させながら移動させることにより、前記内壁面へのスケールの付着を予防するように構成されている装置であり、
前記温泉水配管を通じて温泉水が移送される温泉水移送経路を閉じることにより、温泉水の流れを一時的に停止させる準備工程と、
前記温泉水配管からその管軸方向に沿ったある程度の長さの領域を除去する又は取り外すことにより、前記温泉水移送経路を分断するとともに、互いに離隔して対面する第一の管端開口部及び第二の管端開口部を前記温泉水配管に形成する温泉水移送経路分断工程と、
大きな曲率半径で湾曲する曲管部を備える分岐部を前記第一の管端開口部に取り付けることにより、前記分岐部内から前記温泉水配管内へのピグの移動及び／又はその逆方向のピグの移動を可能にするピグ移動経路を形成するピグ移動経路形成工程と、
前記分岐部が取り付けられている側の前記温泉水配管又は前記分岐部に設けられた又は予め設けてある開口部と前記第二の管端開口部とを配管で接続することにより、前記温泉水移送経路を再形成する温泉水移送経路再形成工程と、
を有することを特徴とする、スケール付着抑制装置の設置方法。
【請求項２】
前記ピグ移動経路形成工程は、前記曲管部の管軸が、前記第一の管端開口部の近傍において、前記分岐部が取り付けられている側の前記温泉水配管の管軸を接線とする円弧を構成するように、前記分岐部を前記第一の管端開口部に取り付ける工程を有することを特徴とする、請求項１に記載の、スケール付着抑制装置の設置方法。
【請求項３】
前記分岐部は、前記曲管部に接続する直管部又は前記曲管部と一体化している直管部を備えるとともに、前記曲管部の管軸が、前記直管部との境界位置近傍において、前記直管部の管軸を接線とする円弧を構成しており、
前記ピグ移動経路形成工程は、前記直管部の一端を前記第一の管端開口部に接続する工程を有することを特徴とする、請求項１に記載の、スケール付着抑制装置の設置方法。
【請求項４】
前記温泉水移送経路再形成工程は、前記直管部に設けた開口部と前記第二の管端開口部とを配管で接続する工程を有することを特徴とする、請求項３に記載の、スケール付着抑制装置の設置方法。
【請求項５】
前記曲管部は、その主要部がＦＲＰ製であり、前記温泉水配管の敷設地とは異なる場所で製造されたものであることを特徴とする請求項１乃至４のいずれかに記載の、スケール付着抑制装置の設置方法。
【請求項６】
前記曲管部及び前記直管部は、その主要部がＦＲＰ製の一体物であることを特徴とする請求項２又は３の、スケール付着抑制装置の設置方法。
【請求項７】
スケール付着抑制装置の設置方法であって、
前記スケール付着抑制装置は、温泉水を移送する温泉水配管内で、ピグを、その外表面を前記温泉水配管の内壁面に接触させながら移動させることにより、前記内壁面へのスケールの付着を予防するように構成されている装置であり、
前記温泉水配管を通じて温泉水が移送される温泉水移送経路を閉じることにより、前記温泉水配管の第一の箇所及び該第一の箇所の下流に位置する第二の箇所における温泉水の流れを一時的に停止させる準備工程と、
前記第一の箇所において前記温泉水配管からその管軸方向に沿ったある程度の長さの領域を除去又は取り外すことにより、前記温泉水移送経路を分断し、互いに離隔して対面する第一の管端開口部及び第二の管端開口部を前記温泉水配管に形成するとともに、前記第二の箇所において前記温泉水配管からその管軸方向に沿ったある程度の長さの領域を除去又は取り外すことにより、前記温泉水移送経路を分断し、互いに離隔して対面する第三の管端開口部及び第四の管端開口部を前記温泉水配管に形成することにより、前記第一の管端開口部及び前記第三の管端開口部を両端とする被処理温泉水配管を画定する温泉水移送経路分断工程と、
大きな曲率半径で湾曲する曲管部を備える第一の分岐部を前記第一の管端開口部に取り付け、大きな曲率半径で湾曲する曲管部を備える第二の分岐部を前記第三の管端開口部に取り付けることにより、前記第一の分岐部内から前記被処理温泉水配管内を経て前記第二の分岐部内へのピグの移動及び／又はその逆方向のピグの移動を可能にするピグ移動経路を形成するピグ移動経路形成工程と、
前記第一の分岐部が取り付けられている前記被処理温泉水配管又は前記第一の分岐部に設けられた又は予め設けてある開口部と前記第二の管端開口部とを配管で接続し、前記第二の分岐部が取り付けられている前記被処理温泉水配管又は前記第二の分岐部に設けられた又は予め設けてある開口部と前記第四の管端開口部とを配管で接続することにより、前記温泉水移送経路を再形成する温泉水移送経路再形成工程と、
を有することを特徴とする、スケール付着抑制装置の設置方法。
【請求項８】
前記ピグ移動経路形成工程は、前記第一の分岐部が備える前記曲管部の管軸が、前記第一の管端開口部の近傍において、前記被処理温泉水配管の管軸を接線とする円弧を構成するように、前記第一の分岐部を前記第一の管端開口部に取り付け、前記第二の分岐部が備える前記曲管部の管軸が、前記第三の管端開口部の近傍において、前記被処理温泉水配管の管軸を接線とする円弧を構成するように、前記第二の分岐部を前記第三の管端開口部に取り付けを有することを特徴とする、請求項７に記載の、スケール付着抑制装置の設置方法。
【請求項９】
前記第一の分岐部及び前記第二の分岐部は、いずれも、前記曲管部に接続する直管部又は前記曲管部と一体化している直管部を備えるとともに、前記曲管部の管軸が、前記直管部との境界位置近傍において、前記直管部の管軸を接線とする円弧を構成しており、
前記ピグ移動経路形成工程は、前記第一の分岐部が備える前記直管部の一端を前記第一の管端開口部に接続する工程及び前記第二の分岐部が備える前記直管部の一端を前記第三の管端開口部に接続する工程を有することを特徴とする、請求項７に記載の、スケール付着抑制装置の設置方法。
【発明の詳細な説明】
【技術分野】
【０００１】
この発明は、温泉水を移送するための配管（温泉水配管）の内壁面へのスケールの付着を抑制する装置の設置方法に関し、より詳しくは、温泉水配管の二箇所に大きな曲率半径で湾曲する分岐部を備え、その分岐部を介してピグ往復移動経路を温泉水配管に接続し、ピグ往復移動経路に沿って、ピグを往復移動させることにより、前記二箇所間にある温泉水配管の内壁面へのスケールの付着およびその進行を予防する装置の設置方法に関する。
【背景技術】
【０００２】
温泉地、温泉浴場、地熱発電設備などでは、温泉水に溶けていた成分が析出してできるスケール（以下「温泉スケール」という場合がある。）が温泉水配管の内壁面に付着、堆積または固化することを抑制又は防止するためのスケール対策が行なわれている。スケール対策は、抑制対策と除去対策の二つに分類でき、前者の抑制対策の代表例は、スケール抑制剤を配管内に注入する方法（薬注法）である。後者の除去対策の代表例は、温泉水配管の内壁面に付着し、堆積または固化しているスケールを機械的に除去する方法（浚渫法）であり、たとえば、配管内に投入したピグに圧力を加えて移動させ、その移動するピグにより配管内壁面からスケールを削り落とす方法が知られている（特許文献１から３参照）。
【先行技術文献】
【特許文献】
【０００３】
【特許文献１】特開平４−３４９９８６号公報
【特許文献２】特開昭６３−１５８１８１号公報
【特許文献３】特開２０１３−１６３１６３号公報
【発明の概要】
【発明が解決しようとする課題】
【０００４】
ピグを使用する浚渫法は、スケールが既に付着し、またはスケールが成長しているまたは堆積もしくは固化している温泉水配管を対象としており、薬注法と異なり、スケールの付着やその進行を予防または抑制するスケール対策技術ではない。
【０００５】
スケールの付着やその進行を予防または抑制するスケール対策のための工事の工期が長いと、温泉地、温泉浴場、地熱発電設備などの温泉水利用施設における温泉水の利用が妨げられ、施設運営者、施設利用者、温泉水配管敷設の許諾者その他の関係者の不利益が大きくなる。
【０００６】
また、温泉水配管は、それが移送する温泉水の泉源と同様に、交通の便が悪い場所（たとえば山間部）にある場合が少なからずあり、その場合、スケール対策のための工事の工期が長いと、スケール対策に必要な作業者の手配が難しくなり、人件費を含む作業コストもかさんでくる。
【０００７】
総じて、スケールの付着やその進行を予防または抑制するスケール対策のための工事は、より短期で完了させ得るものほど望ましい。
【０００８】
この発明は、上記に鑑みてなされたものであり、温泉スケールの付着を抑制する装置を比較的短期に設置することができる方法を提供することを目的とする。
【課題を解決するための手段】
【０００９】
この発明は、上記目的を達成するためになされたものであり、下記を特徴とするものである。
【００１０】
この発明の第１の形態に係るスケール付着抑制装置の設置方法は、温泉水を移送する温泉水配管内で、ピグを、その外表面を前記温泉水配管の内壁面に接触させながら移動させることにより、前記内壁面へのスケールの付着を予防するように構成されているスケール付着抑制装置の設置方法であり、前記温泉水配管を通じて温泉水が移送される温泉水移送経路を閉じることにより、温泉水の流れを一時的に停止させる準備工程と、前記温泉水配管からその管軸方向に沿ったある程度の長さの領域を除去する又は取り外すことにより、前記温泉水移送経路を分断するとともに、互いに離隔して対面する第一の管端開口部及び第二の管端開口部を前記温泉水配管に形成する温泉水移送経路分断工程と、大きな曲率半径で湾曲する曲管部を備える分岐部を前記第一の管端開口部に取り付けることにより、前記分岐部内から前記温泉水配管内へのピグの移動及び／又はその逆方向のピグの移動を可能にするピグ移動経路を形成するピグ移動経路形成工程と、前記分岐部が取り付けられている側の前記温泉水配管又は前記分岐部に設けられた又は予め設けられている開口部と前記第二の管端開口部とを配管で接続することにより、前記温泉水移送経路を再形成する温泉水移送経路再形成工程と、を有することを特徴とするものである。
【００１１】
この発明の第２の形態に係るスケール付着抑制装置の設置方法は、第１の形態に係る設置方法であって、前記ピグ移動経路形成工程は、前記曲管部の管軸が、前記第一の管端開口部の近傍において、前記分岐部が取り付けられている側の前記温泉水配管の管軸を接線とする円弧を構成するように、前記分岐部を前記第一の管端開口部に取り付ける工程を有することを特徴とするものである。
【００１２】
この発明の第３の形態に係るスケール付着抑制装置の設置方法は、第１の形態に係る設置方法であって、前記分岐部は、前記曲管部に接続する直管部又は前記曲管部と一体化している直管部を備えるとともに、前記曲管部の管軸は、前記直管部との境界位置近傍において、前記直管部の管軸を接線とする円弧を構成しており、前記ピグ移動経路形成工程は、前記直管部の一端を前記第一の管端開口部に接続する工程を有することを特徴とするものである。
【００１３】
この発明の第４の形態に係るスケール付着抑制装置の設置方法は、第３の形態に係る設置方法であって、前記温泉水移送経路再形成工程は、前記直管部に設けた開口部と前記第二の管端開口部とを配管で接続する工程を有することを特徴とするものである。
【００１４】
この発明の第５の形態に係るスケール付着抑制装置の設置方法は、第１乃至４のいずれかの形態に係る設置方法であって、前記曲管部は、その主要部がＦＲＰ製であり、前記温泉水配管の敷設地とは異なる場所で製造されたものであることを特徴とするものである。
【００１５】
この発明の第６の形態に係るスケール付着抑制装置の設置方法は、第２又は第３の形態に係る設置方法であって、前記曲管部及び前記直管部は、その主要部がＦＲＰ製の一体物であることを特徴とするものである。
【００１６】
この発明の第７の形態に係るスケール付着抑制装置の設置方法は、温泉水を移送する温泉水配管内で、ピグを、その外表面を前記温泉水配管の内壁面に接触させながら移動させることにより、前記内壁面へのスケールの付着を予防するように構成されているスケール付着抑制装置の設置方法であり、前記スケール付着抑制装置は、温泉水を移送する温泉水配管内で、ピグを、その外表面を前記温泉水配管の内壁面に接触させながら移動させることにより、前記内壁面へのスケールの付着を予防するように構成されている装置であり、前記温泉水配管を通じて温泉水が移送される温泉水移送経路を閉じることにより、前記温泉水配管の第一の箇所及び該第一の箇所の下流に位置する第二の箇所における温泉水の流れを一時的に停止させる準備工程と、前記第一の箇所において前記温泉水配管からその管軸方向に沿ったある程度の長さの領域を除去又は取り外すことにより、前記温泉水移送経路を分断し、互いに離隔して対面する第一の管端開口部及び第二の管端開口部を前記温泉水配管に形成するとともに、前記第二の箇所において前記温泉水配管からその管軸方向に沿ったある程度の長さの領域を除去又は取り外すことにより、前記温泉水移送経路を分断し、互いに離隔して対面する第三の管端開口部及び第四の管端開口部を前記温泉水配管に形成することにより、前記第一の管端開口部及び前記第三の管端開口部を両端とする被処理温泉水配管を画定する温泉水移送経路分断工程と、大きな曲率半径で湾曲する曲管部を備える第一の分岐部を前記第一の管端開口部に取り付け、大きな曲率半径で湾曲する曲管部を備える第二の分岐部を前記第三の管端開口部に取り付けることにより、前記第一の分岐部内から前記被処理温泉水配管内を経て前記第二の分岐部内へのピグの移動及び／又はその逆方向のピグの移動を可能にするピグ移動経路を形成するピグ移動経路形成工程と、前記第一の分岐部が取り付けられている前記被処理温泉水配管又は前記第一の分岐部に設けられた又は予め設けられている開口部と前記第二の管端開口部とを配管で接続し、前記第二の分岐部が取り付けられている前記被処理温泉水配管又は前記第二の分岐部に設けられた又は予め設けられている開口部と前記第四の管端開口部とを配管で接続することにより、前記温泉水移送経路を再形成する温泉水移送経路再形成工程と、を有することを特徴とするものである。
【００１７】
この発明の第８の形態に係るスケール付着抑制装置の設置方法は、第７の形態に係る設置方法であって、前記ピグ移動経路形成工程は、前記第一の分岐部が備える前記曲管部の管軸が、前記第一の管端開口部の近傍において、前記被処理温泉水配管の管軸を接線とする円弧を構成するように、前記第一の分岐部を前記第一の管端開口部に取り付け、前記第二の分岐部が備える前記曲管部の管軸が、前記第三の管端開口部の近傍において、前記被処理温泉水配管の管軸を接線とする円弧を構成するように、前記第二の分岐部を前記第三の管端開口部に取り付けを有することを特徴とするものである。
【００１８】
この発明の第９の形態に係るスケール付着抑制装置の設置方法は、第７の形態に係る設置方法であって、前記第一の分岐部及び前記第二の分岐部は、いずれも、前記曲管部に接続する直管部又は前記曲管部と一体化している直管部を備えるとともに、前記曲管部の管軸が、前記直管部との境界位置近傍において、前記直管部の管軸を接線とする円弧を構成しており、  前記ピグ移動経路形成工程は、前記第一の分岐部が備える前記直管部の一端を前記第一の管端開口部に接続する工程及び前記第二の分岐部が備える前記直管部の一端を前記第三の管端開口部に接続する工程を有することを特徴とするものである。
【発明の効果】
【００１９】
１）この発明により設置されるスケール付着抑制装置（以下「対象装置」という場合がある。）は、温泉水を移送する温泉水配管内で、ピグを、その外表面を前記温泉水配管の内壁面に接触させながら移動させることにより、前記内壁面へのスケールの付着を予防するように構成されている装置である（後述）。
【００２０】
この装置では、スケールの予防又は抑制の対象となる範囲の温泉水配管（以下「被処理温泉水配管」という場合がある。）外からピグを被処理温泉水配管内に投入し、被処理温泉水配管内を移動させる（そして必要に応じて被処理温泉水配管内から回収する）ので、温泉水が移動する経路（以下「温泉水移送経路」という場合がある。）とは別個にピグが移動する経路（以下「温泉水移動経路」という場合がある。）を設定する必要があり、ピグ移動経路は、被処理温泉水配管の管端部近辺で、温泉水移送経路から分岐するように構成される。
【００２１】
２）ここで、既設の温泉水配管、つまり既存の温泉水移送経路に手を加えることなく、温泉水配管にピグ移動経路を接続すると、温泉水は従来と殆ど同様に円滑に流れるが、ピグは被処理温泉水配管内から被処理温泉水配管外へ分岐する方向及び／又はその逆方向に円滑に移動するとは限らない。なぜならば、ピグは固体であるので、被処理温泉水配管にピグ移動経路を接続しただけでは、その接続位置におけるピグ移動経路の分岐構造がピグの円滑な移動に適した構造になるとは限らないからである。そのため、たとえば、ピグがピグ移動経路の途中で何かに引っ掛かり停止する、停止したピグを回収できなくなるなどの不具合が生じうる。
【００２２】
これに対し、既設の温泉水配管に手を加える、つまり既存の温泉水移送経路を一旦分断した後、ピグの円滑な移動に適した分岐構造を形成し、引き続き温泉水移送経路を再形成すると、ピグはピグ移動経路で円滑に移動するだけでなく、温泉水も再形成された温水移送経路で円滑に流れる。なぜならば、温泉水は液体なので、温泉水移送経路が分断されずに形成されている限り、その移送経路に沿って支障なく流れるからである。
【００２３】
従って、この発明は、被処理温泉水配管内から被処理温泉水配管外へ分岐する方向及び／又はその逆方向のピグの移動を円滑ならしめるために、温泉水移送経路の分断と再形成の間に、ピグの円滑な移動に適した分岐構造を形成することを基本的な特徴としている。
【００２４】
３）既存の温泉水移送経路の分断は、既設の温泉水配管の途中の一部を除去又は取り外し、離隔して対面する一対の管端を形成することにより実現できる。この除去又は取り外しは、温泉水配管の溶断や温泉水配管が具備するフランジ接合の解除などの公知の手法を用いて容易に行うことができる。温泉水移送経路の再形成は、当該離隔して対面する一対の管端間を、溶接（温泉水配管が樹脂製であれば融着）や継手部のフランジ接合などの公知の手法を用いて配管を補うように再接続することにより、容易に実現することができる。また、ピグの円滑な移動に適した分岐構造として機能する部材（後述の分岐部）を予め製作しておけば、既存の温泉水移送経路の分断と再形成の間に当該分岐構造を効率的に形成することができる。総じて、この発明によれば、対象装置の設置を比較的容易に又は効率的に行なうことができるので、最終的に、対象装置の設置工事をより短期で完了させることができる。
【００２５】
４）この発明の各形態が奏する個別の効果は、次のとおりである。
【００２６】
この発明の第１の形態においては、温泉水の流れを一時的に停止させたうえで、まず、温泉水移送経路分断工程において温泉水配管の途中の一部を公知の手法を用いて除去又は取り外し、互いに離隔して対面する第一の管端開口部及び第二の管端開口部を温泉水配管に形成することにより、温泉水配管経路を分断する。この分断は、公知の手法を用いて行うことができ、容易である。引き続き、ピグ移動経路形成工程において、大きな曲率半径で湾曲する曲管部を備える分岐部を第一の管端開口部に取り付けるので、分岐部内から温泉水配管内へのピグの移動及び／又はその逆方向のピグの円滑な移動を可能にするピグ移動経路を形成することができる。更に、分岐部が取り付けられている側の温泉水配管又は分岐部に設けられた又は予め設けられている開口部と第二の管端開口部とを配管で接続することにより、温泉水移送経路を再形成する。この再形成も、公知の手法を用いて行うことができ、容易である。それ故、この第１の形態によれば、対象装置の設置を比較的容易に又は効率的に行なうことができ、最終的に、対象装置の設置工事をより短期で完了させることができる。
【００２７】
なお、温泉水配管経路形成工程において、第二の管端開口部と配管で接続される開口部を分岐部に設ける場合には、当該開口部の必要性を考慮して設計した分岐部を、その設計に従って製作することで、当該分岐部を当該開口部を設けてもよく、強度などに問題が生じないのであれば、作製済みの分岐部の所定箇所に穿孔、拡孔等の加工を施して当該開口部に作り込んでもよい。第二の管端開口部と配管で接続される開口部を、分岐部が取り付けられている側の温泉水配管に設ける場合には、温泉水配管の所定箇所に穿孔、拡孔等の加工を施して当該開口部に作り込んでもよく、その所定箇所に相当する位置に、枝管継手部を取り付けて、枝管の開口部を当該開口部としてもよい。
【００２８】
第二の管端開口部と開口部との配管による接続の方法には特に制限はなく、当該配管を各開口部に溶接（当該配管や当該各開口部が樹脂製であれば融着）してもよく、フランジをそれぞれに取り付けてボルト接合により接続してもよい。
【００２９】
温泉水配管経路形成工程において、第二の管端開口部と配管で接続される開口部を分岐部に設ける場合には、条件によって（たとえば当該開口部が曲管部に設けられている場合には）ピグが当該開口部に一時的に引っ掛かる、没入して移動不能になる等の事態に陥り易くなり、ピグ移動経路に沿ったピグの円滑な移動に支障を来たすケースが生じる。しかし、他の条件によっては（たとえば第４の形態のような場合には）、そのようなケースは生じない又は生じ難くなる。他方、当該開口部が温泉水配管経路に設けられていると、当該開口部が曲管部に設けられている場合に比べて、ピグ移動経路に沿ったピグの円滑な移動に支障を来たすケースはなくなる又は遥かに少なくなる。それ故、当該開口部は、分岐部よりも、分岐部が取り付けられている側の温泉水配管に設ける方が好ましい。
【００３０】
この発明の第２の形態によれば、分岐部が備える曲管部の管軸が、第一の管端開口部の近傍において、分岐部が取り付けられている側の温泉水配管の管軸を接線とする円弧を構成するように曲管部を第一の管端開口部に取り付けるので、分岐部内から温泉水配管内へのピグの移動及び／又はその逆方向のピグの移動がより円滑になるように対象装置を設置することができる。
【００３１】
この発明の第３の形態によれば、分岐部が備える曲管部を第一の管端開口部に直管部を介して取り付けるので、曲管部を直接、第一の管端開口部に直接取り付ける場合に比べて、取り付けの実作業が容易になる。また、曲管部の管軸が、直管部との境界位置近傍において、直管部の管軸を接線とする円弧を構成するように曲管部を直管部に接続する又は一体化しているので、曲管部内から直管部内へのピグの移動及び／又はその逆方向のピグの移動が円滑になるように、ならびに分岐部内から温泉水配管内へのピグの移動及び／又はその逆方向のピグの移動がより円滑になるように対象装置を設置することができる。
【００３２】
この発明の第４の形態によれば、第二の管端開口部と配管で接続される開口部が直管部に設けられ、直管部内を直進しているピグが当該開口部に一時的に引っ掛かる、没入して移動不能になる等の事態に陥りにくくなるので、曲管部に設けられている場合に比べて、ピグ移動経路に沿ったピグの円滑な移動に支障を来たすケースはなくなる又は遥かに少なくなる。
【００３３】
この発明の第５の形態によれば、曲管部の主要部がＦＲＰ製であり、内面壁が滑らかなので、ピグを円滑に移動させ易くすることができる。また、所謂プレファブ工法により製作するので、対象装置の設置の現場作業をより効率的に行うことができる。
【００３４】
なお、第二の管端開口部と配管で接続される開口部が直管部に設ける場合には、当該開口部の必要性を考慮して設計した分岐部をその設計に従って製作することで、直管部に当該開口部をもうけてもよく、強度などに問題が生じないのであれば、作製済みの分岐部の直管部の所定箇所に穿孔、拡孔等の加工を施して当該開口部を作り込んでもよい。第二の管端開口部と配管で接続される開口部を、分岐部が取り付けられている側の温泉水配管に設ける場合には、温泉水配管の所定箇所に穿孔、拡孔等の加工を施して当該開口部に作り込んでもよく、その所定箇所に相当する位置に、枝管継手部を取り付けて、枝管の開口部を当該開口部としてもよい。既述のとおり、第二の管端開口部と開口部との配管による接続の方法には特に制限はなく、当該配管を各開口部に溶接（当該配管や当該各開口部が樹脂製であれば融着）してもよく、フランジをそれぞれに取り付けてボルト接合により接続してもよい。
【００３５】
第５の形態では、曲管部及び直管部の主要部は一体物である必要はないが、第６の形態においては、ＦＲＰ製の一体物であり、より多くの分岐部が所謂プレファブ工法により製作されることになる。そのため、対象装置の設置の現場作業を行う前に、曲管部及び直管部の境界位置に段差が生じないように分岐部又はその主要部を製作することができ、当該現地作業をより効率的に行うことができ、分岐部内でのピグの移動がより円滑になるように対象装置を設置することができる。
【００３６】
この発明の第７の形態においては、温泉水配管の離隔した二箇所の各箇所において、第１の形態に係る対象装置の設置方法を実行する。当該二箇所で挟まれる範囲にある温泉水配管が、被処理温泉水配管と概ね同じになり、換言すれば、被処理温泉水配管が分岐部に挟まれる構造になる。それ故、第７の形態によれば、一方の分岐部内から被処理温泉水配管内へ、そして被処理温泉水配管内から他方の分岐部内へのピグの移動ならびにその逆方向のピグの移動、つまりピグの往復移動を円滑に行うことができるので、被処理温泉水配管の内壁面へのスケールの付着の予防及び抑制をより効果的に行うことができる対象装置を設置することができる。
【００３７】
この発明の第８の形態によれば、被処理温泉水配管の両端において、第２の形態が奏する効果を得ることができ、ピグの往復移動をより円滑に行うことができるので、被処理温泉水配管の内壁面へのスケールの付着の予防及び抑制を更に効果的に行うことができる対象装置を設置することができる。
【００３８】
この発明の第９の形態によれば、被処理温泉水配管の両端において、第３の形態が奏する効果を得ることができ、ピグの往復移動を更に円滑に行うことができるので、被処理温泉水配管の内壁面へのスケールの付着の予防及び抑制が高い対象装置を設置することができる。
【図面の簡単な説明】
【００３９】
【図１】この発明により設置される、温泉スケール付着抑制装置の具体例の側面図である。
【図２】制御盤の信号によりピグがランチャーから発射された時の配管の側面図である。
【図３】ピグがキャッチャーに到着した時の配管の側面図である。
【図４】制御盤の信号によりピグがキャッチャーから発射された時の配管の側面図である。
【図５】ピグがランチャーに到着した時の配管の側面図である。
【図６】この発明により設置される、温泉スケール付着抑制装置の具体例で使用される分岐部の側面図である。
【図７】この発明により設置される、温泉スケール付着抑制装置の具体例で使用される別の分岐部の側面図である。
【図８】この発明により設置される、温泉スケール付着抑制装置の具体例で使用される別の分岐部の側面図である。
【図９】この発明により設置される、温泉スケール付着抑制装置の具体例で使用される分岐部の接続状態の側面図である。
【図１０】この発明により設置される、温泉スケール付着抑制装置の具体例で使用される別の分岐部の接続状態の側面図である。
【図１１】この発明により設置される、温泉スケール付着抑制装置の具体例の実験設備の簡略側面図である。
【図１２】ピグの移動速度とピグの外表面と管内壁面との間に作用する摩擦力との関係を示すグラフである。
【図１３】この発明に係る温泉スケール付着抑制装置の設置方法の実施例の説明図である。
【図１４】この発明に係る温泉スケール付着抑制装置の設置方法の別の実施例の説明図である。
【図１５】この発明に係る温泉スケール付着抑制装置の設置方法の別の実施例の説明図である。
【図１６】この発明に係る温泉スケール付着抑制装置の設置方法の別の実施例の説明図である。
【図１７】この発明に係る温泉スケール付着抑制装置の設置方法の別の実施例の説明図である。
【発明を実施するための形態】
【００４０】
以下、この発明の実施形態又は実施例を示し、この発明を詳細に説明する。その際、必要に応じて図表を参照しつつ説明するが、各図表において同じ部分又は相当する若しくは共通する部分にはこれと同じ符号を付し、一部の説明を省略する。一つ符号を全ての図表に付している場合もあれば、一部の図表のみに付して残りの図表には付していない場合もある。いうまでもなく、この発明は、図面に記載された実施の形態や実施例に限定されるものではない。
【００４１】
＜温泉スケール付着抑制装置＞
１）基本原理
この発明により設置される対象装置では、ピグの外表面が被処理温泉水配管の内壁面に弾性的に接触しており、そのピグが被処理温泉水配管内を移動するので、被処理温泉水配管の内壁面は、ピグの外表面により拭き取られていく。そのため、温泉スケールは、温泉水配管の内壁面に付着し難くなり、当該内壁面に温泉スケールしても、そこでは成長、つまり堆積又は固化し難くなる。
【００４２】
上記の原理に基づき、移動するピグの外表面と被処理温泉水配管の内壁面との弾性的接触を通じて、当該内壁面への温泉スケールの付着を予防し、当該内壁面における温泉スケールの成長を予防し、抑制する行為を、以下において、ピグによる「管内クリーニング」という場合がある。
【００４３】
２）対象装置の具体例
次に、対象装置の具体例について、主に図１から図５までを参照しながら説明する。これらの図中の分岐部２８、２９は、説明を簡明にするため、図６（ａ）に示すような管軸が円弧の曲管部のみからなる配管継手とするが、後述のとおり、このような配管継手に限定されるものではない。
【００４４】
２．１）基本構成
対象装置は、図１に示すように、温泉水配管１の離隔した二箇所の一方に接続される分岐部２８と、分岐部２８に一端が接続されるピグ投入・回収用配管２と、ピグ投入・回収用配管２の途中に設置される電動弁１５と、ピグ投入・回収用配管２の他端が接続されるランチャー１１と、ランチャー１１又は電動弁１５とランチャー１１との間に設置されるセンサー３２と、ランチャー１１に注入するための水を貯蔵する貯蔵タンク１８と、ランチャー１１と貯蔵タンク１８との間に設置され、貯蔵タンク１８が貯蔵する水をランチャー１１内に付勢して注入するためのポンプ１２と、ランチャー１１とポンプ１２との間に設置される電動弁１６と、ランチャー１１内に残留する水を排出するための電動弁１７とを備えるとともに、温泉水配管１の離隔した二箇所の他方に接続される分岐部２９と、分岐部２９に一端が接続されるピグ投入・回収用配管３と、ピグ投入・回収用配管３の途中に設置される電動弁２５と、ピグ投入・回収用配管３の他端が接続されるキャッチャー２１と、キャッチャー２１又は電動弁２５とキャッチャー２１との間に設置されるセンサー３３と、キャッチャー２１に注入するための水を貯蔵する貯蔵タンク３４と、キャッチャー２１と貯蔵タンク３４との間に設置され、貯蔵タンク３４が貯蔵する水をキャッチャー２１内に付勢して注入するためのポンプ２２と、キャッチャー２１とポンプ２２との間に設置される電動弁２６と、キャッチャー２１内に残留する水を排出するための電動弁２７とを備えている。
【００４５】
温泉水配管１は、直管である必要はなく、一本の配管である必要もなく、複数個の配管が継手介して接続されて構成されているものであってよい。温泉水配管１の離隔した二箇所により画される温泉水配管１の範囲は、温泉スケールの付着を予防することで、その付着や成長を防止する必要がある範囲を広めに包含する範囲にしてある。より具体的には、配管経路の一部１ａと温泉水配管１との接続位置Ｃ0と、温泉水配管１と分岐部２９との接続位置Ｃ[1-29]との間の距離はゼロではなく、配管経路の一部１ｂと温泉水配管１との接続位置Ｃ0と、温泉水配管１と分岐部２８との接続位置Ｃ[1-28]との間の距離もゼロではない。温泉水配管１は、接続位置Ｃ[1-28]よりも温泉水配管１側又は接続位置Ｃ[1-29]がある側で配管経路１Ａの一部１ａと接続しており、それ故、その接続位置Ｃ0は、温泉水配管１の管軸に沿ってピグ４１が直進する領域に配置している。また、温泉水配管１は、接続位置Ｃ[1-29]よりも温泉水配管１側又は接続位置Ｃ[1-28]がある側で配管経路１Ｂの一部１ｂと接続しており、それ故、その接続位置Ｃ0は、温泉水配管１の管軸に沿ってピグ４１が直進する領域に配置している。
【００４６】
ピグ投入・回収用配管２、３は、直管である必要はなく、一本の配管である必要もなく、複数個の配管が継手介して接続されて構成されているものであってよい。ピグ投入・回収用配管２は、接続位置Ｃ[2-28]において分岐部２８と接続し、ピグ投入・回収用配管３は、接続位置Ｃ[3-29]において分岐部２９と接続する。
【００４７】
センサー３２、３３は、ランチャー１１、キャッチャー２１に装着され、ランチャー１１、キャッチャー２１内のピグの存在を感知し、制御装置３１に電気信号を発するものである。
【００４８】
センサー３２、３３、電動弁１４、１５、１６、１７、２４、２５、２６、２７、ポンプ１２、２２は、制御装置３１に電気的に接続され、制御装置３１は、センサー３２、３３の信号により電動弁１４、１５、１６、１７、２４、２５、２６、２７、ポンプ１２、２２の動作を制御することができる。
【００４９】
貯蔵タンク１８、３４に貯蔵されている水は、原則として、水道水に代表される温泉スケールを生じさせない水である。しかし、グ４１による管内クリーニングを行うために必要な水は、ピグ４１に水圧を与えられる水であれば足りる。その意味においては、貯蔵タンク１８、３４に貯蔵されている水は、温泉水であってもよい。
【００５０】
２．２）温泉水移送経路
電動弁１４、２４が開状態で、電動弁１５、２５が閉状態である場合、温泉水は、図１において矢印で示すように、紙面左側から、配管経路１Ｂ内、配管経路の一部１ｂ内の順に移動し、配管経路の一部１ｂと温泉水配管１との接続位置（又は温泉水配管１に接続する配管経路の一部１ｂの開口部）Ｃ0を経由して温泉水配管１内に移動し、温泉水配管１内を直進し、配管経路の一部１ａと温泉水配管１との接続位置（又は温泉水配管１に接続する配管経路の一部１ａの開口部）Ｃ0を経由して、配管経路の一部１ａ内、配管経路１Ａ内の順に移動して、紙面右側に移動する。
【００５１】
なお、温泉水移送経路における温泉水の流れを遮断するには、電動弁１４、２４のうち少なくとも一方（より確実には両方）を閉状態にすればよい。
【００５２】
２．３）分岐部２８、２９
（１）図６に示す分岐部
分岐部２８、２９は、ピグ投入・回収用配管２、３と温泉水配管１とを接続する配管継手であって、管軸ｎの一部又は全部が円弧である曲管部を備えるものである。分岐部２８、２９は、温泉水配管１と配管経路１Ａ、１Ｂとを接続する継手部分を備えていてもよい。
【００５３】
最も構造が簡素な分岐部２８、２９は、図６（ａ）に示す側面図のとおり、管軸ｎの全部が円弧である曲管部のみからなるものである。
【００５４】
分岐部２８、２９は、図６（ｂ）に示す側面図のとおり、互いに別部材同士である曲管部２８ａ、２９ａと直管部２８ｂ、２９ｂとを接続位置Ｃabにおいて接続して構成されているものであってもよく、図６（ｃ）に示す側面図のとおり、曲管部２８ａ、２９ａと直管部２８ｂ、２９ｂとが接続位置Ｃab*において連続し、一体として構成されているものであってもよい。
【００５５】
図６（ａ）（ｂ）（ｃ）に示す分岐部２８、２９を使用して対象装置を構成するときは、別途、温泉水配管１と配管経路１Ａ、１Ｂとを、分岐部２８、２９とは別の継手を用いて又は配管同士を接続するその他の公知の手段により、接続する必要がある（図１から図５、図８（ａ）、図９、図１１参照）。
【００５６】
（２）図７に示す分岐部
配管経路１Ａ、１Ｂを温泉水配管１ではなく、分岐部２８、２９に接続しても、対象装置を構成することができる。図７は、その場合の分岐部２８、２９の側面図である。つまり、分岐部２８、２９は、別途用意した継手を用いて又は配管同士を接続するその他の公知の手段により、図６（ｂ）に示す直管部２８ｂ、２９ｂに、当該直管部２８ｂ、２９ｂとは別の部材として配管経路の一部１ａ、１ｂが接続位置Ｃ0において接続しているもの（図７（ａ）参照）や、図６（ｃ）に示す直管部２８ｂ、２９ｂに、当該直管部２８ｂ、２９ｂとは別の部材として配管経路１Ａ、１Ｂが接続位置Ｃ0において接続しているもの（図７（ｂ）参照）であってよく、図６（ｂ）に示す直管部２８ｂ、２９ｂに、配管経路の一部１ａ、１ｂが接続位置Ｃ0において連続し、一体として構成されているもの（図７（ｃ）参照）や、図６（ｃ）に示す直管部２８ｂ、２９ｂに、配管経路の一部１ａ、１ｂが接続位置Ｃ0*において連続し、一体として構成されているもの（図７（ｄ）参照）であってもよい。
【００５７】
（３）管内径
ピグ４１の円滑な往復移動を実現するためには、次に掲げる（ア）から（エ）までの少なくとも一つ、望ましくは全部に該当することが好ましい。
【００５８】
（ア）接続位置Ｃab及び接続位置Ｃab*においても、曲管部２８ａ、２９ａと直管部２８ｂ、２９ｂとが同じ内径になっている。
（イ）接続位置Ｃ[1-28]、Ｃ[1-29]において、温泉水配管１と分岐部２８、２９とが同じ内径になっている。
（ウ）接続位置Ｃab、Ｃab*において、温泉水配管１と直管部２８ｂ、２９ｂとが同じ内径になっている。
（エ）接続位置Ｃ[2-28]、Ｃ[3-29]において、ピグ投入・回収用配管２、３と分岐部２８、２９とが同じ内径になっている。
【００５９】
なお、上記（ア）から（エ）のいずれの場合も、互いに異なる内径が滑らかに漸近して当該接続位置において同じ内径になっている場合を含む。
【００６０】
（３）曲管部の湾曲
図６（ａ）に示す分岐部２８、２９の場合、曲管部の管軸ｎが描く円弧の半径Ｒは、後述のとおり、Ｒは１．５Ｄ以上、かつ１．１≦ｄ／Ｄ≦１．４に設定することが望ましい。当該円弧の半径Ｒは、図９に示すように、分岐部２８、２９と温泉水配管１との接続位置Ｃ[1-28]、Ｃ[1-29]の近傍における半径とする。ただし、測定の仕方次第で当該円弧の半径Ｒが複数定義できてしまう場合や、接続位置Ｃ[1-28]、Ｃ[1-29]の近傍以外の位置における当該円弧の半径の方がより小さくなる場合には、円弧の半径として最小になるものを、当該円弧の半径Ｒとする。当該曲管部の管軸ｎの曲率半径Ｒは、後述のとおり、Ｒは１．５Ｄ以上、かつ１．１≦ｄ／Ｄ≦１．４に設定することが望ましい。
【００６１】
図６（ｂ）や図７（ａ）（ｃ）に示す分岐部２８、２９の場合、曲管部の管軸ｎの曲率半径Ｒは、後述のとおり、Ｒは１．５Ｄ以上、かつ１．１≦ｄ／Ｄ≦１．４に設定することが望ましい。当該曲管部の管軸ｎの曲率半径Ｒは、接続位置Ｃabの近傍における曲率半径とする。ただし、測定の仕方次第で管軸ｎの曲率半径Ｒが複数定義できてしまう場合や、接続位置Ｃabの近傍における管軸ｎの曲率半径よりも、その他の位置における管軸ｎの曲率半径の方が小さくなる場合には、管軸ｎの曲率半径としてより小さく又は最も小さくなるものを、当該曲管部の管軸ｎの曲率半径Ｒとする。
【００６２】
図６（ｃ）や図７（ｂ）（ｄ）に示す分岐部２８、２９の場合、当該曲管部の管軸ｎの曲率半径Ｒ*は、後述のとおり、Ｒ*は１．５Ｄ以上、かつ１．１≦ｄ／Ｄ≦１．４に設定することが望ましい。当該曲管部の管軸ｎの曲率半径Ｒ*は、接続位置Ｃab*の近傍における半径とする（図１０参照）。ただし、測定の仕方次第で管軸ｎの曲率半径Ｒ*が複数定義できてしまう場合や、接続位置Ｃab*の近傍における管軸ｎの曲率半径よりも、その他の位置における管軸ｎの曲率半径の方が小さくなる場合には、管軸ｎの曲率半径としてより小さく又は最も小さくなるものを、当該曲管部の管軸ｎの曲率半径Ｒ*とする。
【００６３】
（４）接続状態
図９は、図６（ａ）に示す分岐部２８、２９の接続状態の側面図である。この図９では、温泉水配管１の管軸ｍ、分岐部２８、２９の管軸ｎ及び配管経路の一部１ａ、１ｂの管軸ｋが同一平面上に配置するように描写されている。しかし、分岐部２８、２９は、それら三つの管軸が同一平面上に配置する構成のものに限定されない。
【００６４】
図１０は、図７（ｄ）に示す分岐部２８、２９の接続状態の側面図である。この図１０では、温泉水配管１の管軸ｍ、分岐部２８、２９の曲管部２８ａ、２９ａの管軸ｎ、直管部２８ｂ、２９ｂの管軸ｍ28*、ｍ29*及び配管経路の一部１ａ、１ｂの管軸ｋ*が同一平面上に配置するように描写されている。しかし、分岐部２８、２９は、それら四つの管軸が同一平面上に配置する構成のものに限定されない。
【００６５】
図６（ｂ）（ｃ）ならびに図７（ａ）（ｂ）（ｃ）のいずれの分岐部２８、２９においても、温泉水配管１の管軸ｍ、分岐部２８、２９の管軸ｎ及び配管経路の一部１ａ、１ｂの管軸のそれぞれの方向が特定の方向にある構成のものに限定されない。たとえば、図７に示す分岐部２８、２９は、曲管部２８ａ、２９ａの管軸が紙面右側から左側にかけて紙面上方に向かって上昇し、配管経路の一部１ａ、１ｂの管軸も紙面上方に向かって上昇している。しかし、分岐部２８、２９は、両管軸が同一方向に配向しているものに限定されない。
【００６６】
また、分岐部２８、２９は、その曲管部の管軸が同一平面上にあるものに限られない。
【００６７】
図８（ａ）は、図６（ａ）に示す分岐部２８、２９の一端を接続位置Ｃ[1-28]、Ｃ[1-29]において温泉水配管１に接続し、他端を接続位置Ｃ[2-28]、Ｃ[3-29]においてピグ投入・回収用配管２、３に接続し、配管経路１Ａ、１Ｂをそれぞれの接続位置Ｃ1において温泉水配管１に接続した状態を示している。接続位置Ｃ1は、接続位置Ｃ[1-28]、Ｃ[1-29]近くの温泉水配管１側において、配管経路の一部１ａ、１ｂの一端を温泉水配管１に接続したときの、当該配管経路の一部１ａ、１ｂの他端に相当する位置である。
【００６８】
また、図８（ｂ）は、図７（ｄ）に示す分岐部２８、２９の一端を接続位置Ｃ[1-28]*、Ｃ[1-29]*において温泉水配管１に接続し、他端を接続位置Ｃ[2-28]、Ｃ[3-29]においてピグ投入・回収用配管２、３に接続し、配管経路１Ａ、１Ｂをそれぞれの接続位置Ｃ1*において温泉水配管１に接続した状態を示している。接続位置Ｃ1*は、接続位置Ｃ[1-28]*、Ｃ[1-29]*近くの分岐部２８、２９側において、配管経路の一部１ａ、１ｂの一端を直管部２、３に接続したときの、当該配管経路の一部１ａ、１ｂの他端に相当する位置である。
【００６９】
図８に示すように、分岐部２８、２９又はその曲管部の管軸は、三次元的に湾曲していてもよい。また、図８に示すように、配管経路１Ａ、１Ｂの管軸も、図８に示すように、三次元的に湾曲していてもよい。
【００７０】
図９は、図６（ａ）に示す分岐部２８、２９の一端を接続位置Ｃ[1-28]、Ｃ[1-29]において温泉水配管１に接続し、他端を接続位置Ｃ[2-28]、Ｃ[3-29]においてピグ投入・回収用配管２、３に接続し、配管経路１ａ、１ｂをそれぞれの接続位置Ｃ0において温泉水配管１に接続した状態を示している。温泉水配管１と配管経路１ａとの接続位置Ｃ0と接続位置Ｃ[1-28]との距離Ｌaならびに温泉水配管１と配管経路１ｂとの接続位置Ｃ0と接続位置Ｃ[1-29]との距離Ｌbは、いずれもより小さい方が、ピグによる管内クリーニングの範囲が広がるので好ましい。一方、配管経路１ａ、１ｂの温泉水配管１内への開口部を曲管部に配置すると、ピグが当該開口部に引っ掛かる、没入するなどの移動障害が起こる危険が高くなる。開口部が直管部に配置する場合であっても、接続位置Ｃ[1-28]、Ｃ[1-29]に近すぎると移動障害の発生の危険は残る。それ故、距離Ｌa、Ｌbは、ある程度の大きさに止めるのが好ましい。
【００７１】
図１０は、図７（ｄ）に示す分岐部２８、２９の一端を接続位置Ｃ[1-28]*、Ｃ[1-29]*において温泉水配管１に接続し、他端を接続位置Ｃ[2-28]、Ｃ[3-29]においてピグ投入・回収用配管２、３に接続し、配管経路１ａ、１ｂをそれぞれの接続位置Ｃ0*において温泉水配管１に接続した状態を示している。分岐部２８側における接続位置Ｃ[1-28]*と接続位置Ｃ0*との距離Ｌa*及び接続位置Ｃ[1-28]*と接続位置Ｃab*との距離Ｌa#ならびに分岐部２９側における接続位置Ｃ[1-29]*と接続位置Ｃ0*との距離Ｌb*及び接続位置Ｃ[1-29]*と接続位置Ｃab*との距離Ｌb#については、距離Ｌa#、Ｌb#は、いずれもより小さい方が、その分距離Ｌa*、Ｌb*は大きい方が、ピグによる管内クリーニングの範囲が広がるので好ましい。もっとも、直管部２８ｂ、２９ｂも、温泉水配管１の延伸部であると捉えるときは、距離Ｌa#、Ｌb#は大きく、その分距離Ｌa*、Ｌb*は小さい方が、ピグによる管内クリーニングの範囲が広がるので好ましい。一方、配管経路１ａ、１ｂの温泉水配管１内への開口部を曲管部に配置すると、ピグの移動障害が起こる危険が高くなり、開口部が直管部に配置する場合であっても、接続位置Ｃab*、Ｃab*に近すぎると移動障害の発生の危険は残る。それ故、距離Ｌa*、Ｌb*、Ｌa#、Ｌb#は、ある程度の大きさに止めるのが好ましい。
【００７２】
２．４）ピグ
ピグ４１は、発泡樹脂製の弾性体から成る材料からなり、温泉水配管１の内面に弾性的に接触する形状で、表面に金属製の突起が無い形状のものである。ピグ４１の形状の代表例は、正面視又は断面視したとき円形であり、かつ、平面視したとき、角丸の扁平八角形又はオーバル又は角丸長方形であるものである。ピグ４１の長手方向の両端部は、接続位置Ｃ[1-28]、Ｃ[1-29]の通過前後において当該両端部を分岐部２８、２９や温泉水配管１の各内壁面に接触しにくくさせるため、つまり円滑な往復移動を実現するため、円錐状、コーン状、円錐台状、半球状、その他先端に向かって縮径する形状にするのが好ましい。
【００７３】
２．５）ピグ往復移動経路
後述のピグ往路とピグ復路により構成される、ランチャー１１とキャッチャー２１との間をピグ４１が往復する経路（以下「ピグ往復移動経路」という場合がある）は、温泉水移送経路と一部範囲が重複しており、より詳しくは、電動弁１４、１５、２４、２５の開閉状態の選択により、温泉水配管１と配管経路の一部１ａとの接続位置Ｃ0と温泉水配管１と配管経路の一部１ｂとの接続位置Ｃ0との間の範囲にある温泉水配管１に接続可能である。
【００７４】
２．６）ランチャー１１及びキャッチャー２１
ランチャー１１は、作業者が、そこにピグ４１を入れて、ピグ投入・回収用配管２、ひいては分岐部２８に投入することができ、分岐部２８からピグ投入・回収用配管２を通じてそこに到達したピグ４１を取り出して回収できるように構成されている。キャッチャー２１は、作業者が、そこにピグ４１を入れて、ピグ投入・回収用配管３、ひいては分岐部２９に投入することができ、分岐部２９からピグ投入・回収用配管３を通じてそこに到達したピグ４１を取り出して回収できるように構成されている。ランチャー１１及びキャッチャー２１は、いずれも、ピグ４１をピグ往復移動経路に投入する投入部と、ピグ往復移動経路から回収する回収部の両方を兼ねている。
【００７５】
３）装置の動作
上記のように構成された対象装置の動作について具体的に説明する。
【００７６】
３．１）温泉水移送状態
制御装置３１からの電気信号により電動弁１４、２４を開、電動弁１５、１６、１７、２５、２６、２７を閉の状態にすると、温泉水が、図１の紙面左側から配管経路１Ａ内を流れ、配管経路の一部１ａを通じて温泉水配管１内に流れ込み、配管水配管１内を流れ、配管経路の一部１ｂを通じて配管経路１Ｂ内を流れ、紙面右側へ流れ出て行く温泉水移送経路がある）が構成される。
【００７７】
なお、温泉水移送経路が構成されている状態（以下「温泉水移送状態」という場合がある）は、多くの場合、温泉水が、その使用目的のために、その使用場所に移送されている状態であり、長期にわたる温泉水の移送により、温泉水移送経路を構成する配管の内壁面への温泉スケールの付着や、当該内壁面における温泉スケールの堆積や固化が問題になってくる状態である。
【００７８】
３．２）ピグ往路
制御装置３１からの電気信号により電動弁１４、２４を閉、電動弁１５、１６、２５、２７を開にし、ポンプ１２を作動させる。すると、温泉水移送経路は遮断され、温泉水は温泉水移送経路を流れなくなる一方で、ピグ往復移動経路が構成される。そして、ランチャー１１内に貯蔵タンク１８内の水が流れ込む。
【００７９】
ランチャー１１内のピグ４１は、流れ込んできた水の圧力を受けて、ピグ投入・回収用配管２内から分岐部２８内へ移動し、温泉水配管１と分岐部２８との接続位置Ｃ[1-28]を通過して温泉水配管１内に移動し、温泉水配管１の管軸に沿って直進し、温泉水配管１の配管経路の一部１ａとの接続位置Ｃ0、次いで配管経路の一部１ｂとの接続位置Ｃ0を通過し、さらに温泉水配管１と分岐部２９との接続位置Ｃ[1-29]を通過して、温泉水配管１内から分岐部２９内に、分岐部２９内からピグ投入・回収用配管３内に移動し、最終的にキャッチャー２１内に到達し移動を停止する。
【００８０】
貯蔵タンク１８からキャッチャー２１内に到達した水は、電動弁２７を通過してキャッチャー２１外に排出される（図２参照）。
【００８１】
上記のピグ４１の移動の間、ピグ４１は、その外表面を、温泉水配管１の内壁面と弾性的に接触させながら移動するので、接続位置Ｃ[1-28]と接続位置Ｃ[1-29]との間の温泉水配管１の内壁面を、拭き取って行く。その結果、温泉水配管１と配管経路の一部１ａと接続位置Ｃ0と温泉水配管１と配管経路の一部１ｂとの接続位置Ｃ0との間の温泉水配管１の内壁面への温泉スケールの付着や、当該内壁面での温泉スケールの成長は予防され、温泉スケールの付着は抑制される。
【００８２】
なお、ピグ４１がキャッチャー２１内に到達すると、センサー３３はこれを感知し、電気信号を制御装置３１へ送り、その電気信号を受けた制御装置３１は、電気信号をポンプ１２及び電動弁１６へ送り、ポンプ１２を停止させ、電動弁１６を閉にする（図３参照）。
【００８３】
３．３）ピグ復路
制御装置３１からの電気信号により、電動弁１４、１６、２４を閉にしたままで、電動弁１７、２６を開、電動弁２７を閉にし、ポンプ２２を作動させる。すると、キャッチャー２１内に貯槽タンク３４内の水が流れ込む。キャッチャー２１内のピグ４１は、流れ込んできた水の圧力を受けて、ピグ投入・回収用配管３内から分岐部２９内へ移動し、温泉水配管１と分岐部２９との接続位置Ｃ[1-29]を通過して温泉水配管１内に移動し、温泉水配管１の管軸に沿って直進し、温泉水配管１の配管経路の一部１ｂとの接続位置Ｃ0、次いで温泉水配管１と配管経路の一部１ａとの接続位置Ｃ0通過し、さらに温泉水配管１と分岐部２８との接続位置Ｃ[1-28]を通過して、温泉水配管１内から分岐部２８内に、分岐部２８内からピグ投入・回収用配管２内に移動し、最終的にランチャー１１内に到達し移動を停止する。
【００８４】
貯蔵タンク３４からランチャー１１内に到達した水は、電動弁１７を通過してキランチャー１１外に排出される（図４参照）。
【００８５】
上記のピグ４１の移動の間、ピグ４１は、その外表面を、温泉水配管１の内壁面と弾性的に接触させながら移動するので、接続位置Ｃ[1-29]と接続位置Ｃ[1-28]との間の温泉水配管１の内壁面を、拭き取って行く。その結果、温泉水配管１と配管経路の一部１ｂと接続位置Ｃ0と温泉水配管１と配管経路の一部１ａとの接続位置Ｃ0との間の温泉水配管１の内壁面への温泉スケールの付着や、当該内壁面での温泉スケールの成長は予防され、温泉スケールの付着は抑制される。
【００８６】
なお、ピグ４１がランチャー１１内に到達することで、センサー３２がこれを感知し、電気信号を制御装置３１に送り、その電気信号を受けた制御装置３１は、電気信号をポンプ２２及び電動弁２６へ送り、ポンプ２２を停止させ、電動弁２６を閉にする（図５参照）。
【００８７】
３．４）温泉水移送状態への復帰
制御装置３１からの電気信号により電動弁１４、２４を開、電動弁１５、１７、２５を閉にする。これにより、ピグ往復移動経路は遮断され、温泉水移送経路が構成され、当初の温泉水移送状態に戻す。
【００８８】
＜温泉スケール付着抑制方法＞
次に、上記の対象装置の具体例を用いて行う温泉スケール付着抑制方法について説明する。
【００８９】
１）温泉スケール付着抑制方法の一例は、次の工程を有する。
［工程１］温泉水移動経路及び対象装置を用意する（図１参照）。
［工程２］温泉水移送経路を一旦遮断し、温泉水が温泉水移送経路を流れない状態にするとともに、ピグ往復移動経路を構成する（図２参照）。
［工程３］ランチャー１１内（又はキャッチャー２１内）にピグ４１を配置し、そのピグ４１をランチャー１１内（又はキャッチャー２１内）からピグ往復移動経路へ投入し、ピグ往復移動経路に沿って移動させ、キャッチャー２１内（又はランチャー１１内）まで到達させる（図２参照）。その移動の間、ピグ４１の外表面により、接続位置Ｃ[1-28]と接続位置Ｃ[1-29]との間の温泉水配管１の内壁面を拭き取る。その拭き取りにより、温泉水配管１と配管経路の一部１ａと接続位置Ｃ0と温泉水配管１と配管経路の一部１ｂとの接続位置Ｃ0との間の温泉水配管１の内壁面への温泉スケールの付着や、当該内壁面での温泉スケールの成長を予防する。
なお、ピグ４１がキャッチャー２１内に到達したら、ポンプ１２を停止させ、電動弁１６を閉にする（図３参照）。
［工程４］必要があれば、工程３に引き続き、工程４を行う。つまり、キャッチャー２１内（又はランチャー１１内）のピグ４１を、キャッチャー２１内（又はランチャー１１内）からピグ往復移動経路へ投入し、ピグ往復移動経路に沿って移動させ、ランチャー１１内（又はキャッチャー２１内）まで到達させる（図４参照）。その移動の間、ピグ４１の外表面により、接続位置Ｃ[1-29]と接続位置Ｃ[1-28]との間の温泉水配管１の内壁面を拭き取る。その拭き取りにより、温泉水配管１と配管経路の一部１ｂと接続位置Ｃ0と温泉水配管１と配管経路の一部１ａとの接続位置Ｃ0との間の温泉水配管１の内壁面への温泉スケールの付着や、当該内壁面での温泉スケールの成長を予防する。
なお、ピグ４１がランチャー１１内に到達したら、ポンプ２２を停止させ、電動弁２６を閉にする（図５参照）。
［工程５］必要があれば、工程４に引き続き、工程３を再度行い、更に必要があれば、当該工程３に引き続き、工程４を再度行い、以降も同様とする。
［工程６］工程３ならびに、必要があれば、工程４又は工程５を実行し、管内クリーニングが終了したときは、温泉水移送経路を復活させる。その際、ピグ往復移動経路を遮断し、ピグ往復移動経路に温泉水が流れ込まないようにする。また、必要に応じて、キャッチャー２１又はランチャー１１から、ピグ４１を回収する。
【００９０】
２）ピグ４１の発射
ピグ４１を水圧により、ランチャー１１内から発射するためにはポンプ１２を駆動させる必要があり、キャッチャー２１内から発射するためにはポンプ２２を駆動させる必要がある。ポンプ１２、２２の電源をオンにする操作手法としては、作業者による手動操作、タイマーを設定したうえでの自動操作、作業者による遠隔操作などを採用することができる。
【００９１】
３）管内クリーニングの移動及び実行頻度
３．１）被処理温泉水配管の内壁面への温泉スケールの付着や付着したスケールの成長を予防又は抑制する、期待通りの効果を得るために、被処理温泉水配管内でピグを複数回往復移動させる必要がある場合には、それを行い、ピグピグの一方向、一回だけの移動により期待通りの効果を得ることができるのであれば、被処理温泉水配管内でピグを往復移動させることは必須ではない。
【００９２】
３．２）管内クリーニングは、温泉水配管１の内壁面に温泉スケールが付着する前に行うことが、付着した温泉スケールの成長の芽を摘むという意味においても理想的であるので、事情が許す限り、より高頻度で実行することが望ましい。ただし、温泉スケールの付着や付着したスケールの成長は、温泉水の種類、性質等に依存する挙動なので、管内クリーニングの実行頻度は、当該挙動を実測したうえで個別に決定することが望ましい。また、コスト低減要請やその他の諸般の事情により、それほど頻繁に実行できないときは、当該内壁面に付着した温泉スケールの成長が一定の許容水準を超える前にその成長を予防するに足る頻度で実行する。
【００９３】
＜温泉スケール付着抑制装置及び温泉スケール付着抑制方法の実施例＞
対象装置の実施例及びこれを用いて行う温泉スケール付着抑制方法の実施例を、図１１に基づいて説明する。
【００９４】
１）装置構成
図１１は、工場敷地内に設置した、対象装置の実験設備の簡略側面図である。この実験設備は、電動弁１４、２４が開状態で、電動弁１５、２５が閉状態である場合、貯蔵タンク１８に貯蔵されている水が、ポンプ４０により付勢されて、配管経路１Ａ、１Ｂに相当する温泉水循環配管４を循環する温泉水移送経路を備えている。この温泉水移送経路では、水が、紙面左側から、温泉水循環配管４内、配管経路の一部１ｂ内の順に移動し、配管経路の一部１ｂと温泉水配管１との接続位置Ｃ0を経由して温泉水配管１内に移動し、温泉水配管１内を直進し、配管経路の一部１ａと温泉水配管１との接続位置Ｃ0を経由して、配管経路の一部１ａ内、温泉水循環配管４内の順に移動して、紙面右側に移動する。
【００９５】
また、この実験設備は、管内クリーニングの対象である温泉水配管１と、温泉水配管１の離隔した二箇所のうち一方に接続される分岐部２８と、分岐部２８に一端が接続されるピグ投入・回収用配管２と、ピグ投入・回収用配管２の途中に設置される電動弁１５と、ピグ投入・回収用配管２の他端が接続されるランチャー１１と、ランチャー１１又は電動弁１５とランチャー１１との間に設置されるセンサー３２と、ランチャー１１に注入するための水を貯蔵する貯蔵タンク１８と、ランチャー１１と貯蔵タンク１８との間に設置され、貯蔵タンク１８が貯蔵する水をランチャー１１内に付勢して注入するためのポンプ１２と、ランチャー１１とポンプ１２との間に設置される電動弁１６と、ランチャー１１内に残留する水を貯蔵タンク１８へ排出するための電動弁１７とを備えるとともに、温泉水配管１の離隔した二箇所の他方に接続される分岐部２９と、分岐部２９に一端が接続されるピグ投入・回収用配管３と、ピグ投入・回収用配管３の途中に設置される電動弁２５と、ピグ投入・回収用配管３の他端が接続されるキャッチャー２１と、キャッチャー２１又は電動弁２５とキャッチャー２１との間に設置されるセンサー３３と、キャッチャー２１に注入するための水を貯蔵する前出の貯蔵タンク１８と、キャッチャー２１と貯蔵タンク１８との間に設置され、貯蔵タンク１８が貯蔵する水をキャッチャー２１内に付勢して注入するためのポンプ２２と、キャッチャー２１とポンプ２２との間に設置される電動弁２６と、キャッチャー２１内に残留する水を貯蔵タンク１８へ排出するための電動弁２７とを備えている。
【００９６】
この実験設備は、図１に示す対象装置における貯蔵タンク３４を、貯蔵タンク１８で兼用し、貯蔵タンク１８から排出した水を貯蔵タンク１８に戻す構成になっている。この点を除き、図１に示す対象装置の基本構成と同じであり、故にピグ往復移動経路も、図１に示す対象装置の基本構成におけるそれと同じである。
【００９７】
電動弁１４、１５、１６、１７、２４、２５，２６、２７、ポンプ１２、２２は、制御装置３１の電気信号により作動する。
【００９８】
制御装置３１は、ピグ４１を、ランチャー１１から発射させ、キャッチャー２１に移動させ、キャッチャー２１に到達後、再びランチャー１１から発射させ、ランチャー１１に戻すという往復移動及びその繰り返しを制御し、可能にしている。
【００９９】
ピグ投入・回収用配管２には流量計５及び圧力計６が、ピグ投入・回収用配管３には圧力計７が取り付けてある。必要があれば、その他の計測機器をピグ投入・回収用配管２、３やその他の場所に取り付けてもよい。
【０１００】
２）装置構成の詳細
２．１）ピグ４１は、弾性を有する発泡樹脂でできている。より具体的には、ピグ本体は、軟質の発泡ウレタン樹脂製であり、その内部に存在する気泡は、主に、連続気泡であって、独立気泡ではない。ピグ外表面は、発泡ウレタン樹脂で被覆されている。ピグ４１には、形状復元性が必要であり、ある程度液体透過性があることが望ましいからである。
【０１０１】
ピグ４１の表面は、上記の弾性を有する発泡樹脂でできてはいるものの、金属製の突起は備えていない。ピグ４１の表面に金属製の突起があると、温泉水配管の内壁面に付着して固化又は堆積した温泉スケールの除去には役立つが、温泉水配管やそれが備える部品や部材が相対的に軟質な材質（たとえば、熱硬化性樹脂に代表される合成樹脂）で製作されているときには、温泉水配管の内壁面との接触により、当該内壁面や当該部品や部材を損傷するおそれがあるからである。ただし、そのようなおそれがない場合には、ピグ４１の表面は、金属製の突起やその他の硬質部分を備えていてもよい。
【０１０２】
２．２）温泉水配管１は、富士化工（株）製フジパイプ７０００シリーズのガラス繊維強化プラスチック製ＦＲＰ管とガラス繊維強化プラスチック製ＦＲＰ継手とを接続して構成されている。
【０１０３】
２．３）分岐部２８、２９は、ガラス繊維強化プラスチック製ＦＲＰ管であり、富士化工（株）製である。分岐部２８、２９は、図６（ａ）に示すように、曲管部のみで構成され、温泉水配管１と同径であり、図９に示す接続状態で温泉水配管１に接続されている。
【０１０４】
２．４）  ポンプは、すべて（株）荏原製作所製、電動弁は、すべて（株）キッツ製とした。
【０１０５】
３）実験の条件・方法
３．１）ピグ４１の外径及び全長は、それらと他のパラメータとの関係を調べる場合を除き、それぞれ、φ９０ｍｍ及び１４０ｍｍとした。
【０１０６】
３．２）温泉水配管１は、その内径Ｄがφ５０ｍｍ（ｄ／Ｄ＝１．８）、φ６５ｍｍ（ｄ／Ｄ＝１．４）、φ７５ｍｍ（ｄ／Ｄ＝１．２）、φ７９ｍｍ（ｄ／Ｄ＝１．１）の四種類とした。
【０１０７】
温泉水配管１には、固化前の温泉スケールを予め付着させておいた。より具体的には、温泉水配管１として、熱海温泉で３ヶ月にわたり温泉水の移送のために使用された配管を使用した。その配管の内壁面全体には、厚さ０．１〜０.５ｍｍ、平均で厚さ０．３ｍｍの、Ｓｉ系又はＣａ系の茶色の温泉スケールが付着していた。また、当該温泉スケールは、固化前であり、指で擦ることで除去できる程度であった。
【０１０８】
３．３）温泉水配管１内でピグ４１を移動させたときの、ピグ４１による管内クリーニングの効果や温泉水配管１、分岐部２８、２９などの配管の損傷の有無は、目視により確認した。
【０１０９】
３．４）分岐部２８、２９の円弧の半径Ｒについては、温泉水配管１の種類（内径Ｄ）ごとに、予め目星を付けておいた１．５Ｄの前後でこれを変動させて、ピグ４１の停止、停滞等の不安定な挙動の有無を調べた。
【０１１０】
３．５）ピグ４１を、平均厚さ０．３ｍｍの温泉スケールが内壁面に付着している温泉水配管１内で移動させることにより、ピグの移動速度Ｖを流量計５の出力に基づき計測し、ピグ４１と温泉水配管１の内壁面との間に生じる摩擦力Ｆを、流量計５と圧力計６、７の出力に基づき計測した。そして、ピグの移動速度Ｖを変化させて、また、ｄ／Ｄも変化させて、摩擦力Ｆとの関係を調べた。
【０１１１】
摩擦力Ｆは、ピグ４１によるスケール除去力に対応し、小さ過ぎると温泉水配管１の内壁面に温泉スケールが残留するので、大きいほど望ましいが、過大であったり、管内分布が不均一であると、ピグ４１の挙動が不安定になる。
【０１１２】
３．６）運転例
この実験施設の運転は、制御装置３１により自動制御され、次のように行われた。
【０１１３】
まず、電動弁１４、２４を開き、電動弁１５、１６、１７、２５、２６、２７を閉じ、ポンプ４０を作動させ、温泉水循環配管４を通じて貯槽タンク１８内の水道水を循環させることで、温泉水配管１に水道水を所定の流速で所定時間（たとえば０．４ｍ／秒の流速で３分間）流した。
【０１１４】
次に、電動弁１４、２４を閉じ、電動弁１５、１６、２５、２７を開け、ポンプ１２を作動させ、貯蔵タンク１８に貯蔵されている水道水をランチャー１１に供給した。これにより、ランチャー１１に装填されているピグ４１に水圧を与え、ピグ４１を、ピグ投入・回収用配管２内から、分岐部２８を通じて、温泉水配管１内に移動させ、温泉水配管１内を所定の速度（たとえば０．１ｍ／秒）で通過させ、温泉水配管１内から、分岐部２９を通じて、ピグ投入・回収用配管３内に移動させ、最終的にキャッチャー２１に収容させた。
【０１１５】
センサー３３がピグ４１のキャッチャー２１への到着を検知したら、ポンプ１２を停止させ、電動弁１６、２７を閉じ、電動弁１４、２４を閉じたままで、電動弁１５、１７、２５、２６を開き、ポンプ２２を作動させ、貯蔵タンク１８に貯蔵されている水道水をキャッチャー２１に供給する。これにより、キャッチャー２１に装填されているピグ４１に水圧を与え、ピグ４１を、ピグ投入・回収用配管３内から、分岐部２９を通じて、温泉水配管１内に移動させ、温泉水配管１内を所定の速度（たとえば０．１ｍ／秒）で通過させ、温泉水配管１内から、分岐部２８を通じて、ピグ投入・回収用配管２内に移動させ、最終的にランチャー１１に収容させた。
【０１１６】
センサー３２がピグ４１のランチャー１１への到着を検知したら、電動弁１６、２７を閉じたままで、電動弁１７、２６を閉じ、ポンプ２２を停止させ、電動弁１５、２５を閉じ、電動弁１４、２４を開き、ポンプ４０を作動させ、温泉水循環配管４を通じて貯槽タンク１８内の水道水を循環させることで、温泉水配管１に水道水を所定の流速で所定時間（たとえば０．４ｍ／秒の流速で１分間）流した。
【０１１７】
その後、ポンプ４０を停止し、電動弁１４、２４を閉じ、温泉水配管１を取り外し、温泉水配管１の内壁面における温泉スケールの状態、内壁面の損傷の有無を目視で確認した。また、上記のピグ４１の移動の間は、ピグ４１の不規則な停止、突発的な前進等の不安定な挙動の有無を観察した。
【０１１８】
４）実験結果
４．１）ピグの全長
ピグ４１の全長ｗが１００ｍｍ未満であると、ピグが分岐部２８、２９と温泉水配管部１との接続位置Ｃ[1-28]、Ｃ[1-29]や、温泉水配管部１と配管経路の一部１ａ、１ｂとの接続位置Ｃ0において、移動中のピグ４１が回転する現象が確認された。管内クリーニングの効果の低下の原因となる。ピグ４１に形状復元性を求めているため、軟質の素材を採用せざるを得ない。このことが、当該現象の原因であると推測される。
【０１１９】
また、ピグ４１の全長ｗが２８０ｍｍより大きいと、ピグ４１が温泉水配管部管内で捩れて姿勢を崩す現象が確認された。この現象も、管内クリーニングの効果の低減の原因となる。ピグ４１が軟質の素材でできていたこと、温泉水配管部１の内壁面との間で生じる摩擦力が大きくなり過ぎたこと、その摩擦力の大きさの分布が均一でないことなどが当該現象の原因であると推測される。
【０１２０】
それ故、管内クリーニングの効果を得るために好適なピグの全長は、１００ｍｍ以上、２８０ｍｍ以下とした。
【０１２１】
なお、ピグ４１の全長ｗは、原則として、常温大気開放時におけるピグ４１の全長ではある。
【０１２２】
４．２）ピグの移動速度
ピグの移動速度Ｖが０．１ｍ／秒より小さい場合には、ピグ４１は管内で不規則な停止、突発的な前進等の不安定な動きが確認された。また、０．３ｍ／秒より大きい場合には、ピグ４１が通過した後の温泉水配管１の内壁面に温泉スケールの残存が確認された。これは、ピグの移動速度Ｖが０．３ｍ／秒より大きくなると、安定したスケール除去力が得られないことを意味している。
【０１２３】
それ故、管内クリーニングの効果を得るために好適なピグの移動速度Ｖは、０．１ｍ／秒以上、０．３ｍ／秒以下とした。
【０１２４】
４．３）温泉水配管の内径と分岐部の曲率半径との関係
温泉水配管１の内径Ｄがいずれの場合であっても、分岐部の曲率半径Ｒが１．５Ｄより小さくなると、ピグ４１が、その移動の際不規則な停止、突発的な前進等の不安定な動きをすることが確認された。それ故、Ｒは１．５Ｄ以上とした。
【０１２５】
４．４）ｄ／Ｄ
ｄ／Ｄが１．１より小さいと、温泉水配管１の内壁面に温泉スケールの残存が確認され、管内クリーニングの効果が不十分であった。ｄ／Ｄが１．１より小さい、つまりピグ４１の外径と温泉水配管１の内径との間に大差がないと、ピグ４１の外表面と温泉水配管１の内壁面との間に大きな摩擦力が作用しないことが原因であると推察される。ｄ／Ｄが１．４より大きいと、温泉水配管１内でピグ４１が移動する速度が低下する又は円滑に移動できない現象が確認された。ｄ／Ｄが１．４より大きい、つまりピグ４１の外径が温泉水配管１の内径に比べて大きいと、ピグ４１の外表面と温泉水配管１の内壁面との間に作用する摩擦力が過大になることが原因であると推察される。それ故、管内クリーニングの効果を得るために好適なｄ／Ｄは、１．１以上、１．４以下とした。
【０１２６】
４．５）温泉水配管の内径とピグの外径との関係
図１２は、ピグの移動速度Ｖ（ｍ／秒）と、ピグ４１の外表面と温泉水配管１の内壁面との間に作用する摩擦力Ｆ（Ｎ）との関係を、異なるｄ／Ｄについて整理したものである。この図から、摩擦力Ｆは、ピグの移動速度Ｖの増加に伴い低下し、ｄ／Ｄの減少とともに低下することが分かる。また、０．１ｍ／秒以上、０．３ｍ／秒以下のピグの移動速度Ｖの範囲と、１．１以上、１．４以下のｄ／Ｄの範囲とにより画される領域（図１２中の斜線が施されている領域）が、管内クリーニングの効果を得るために好適である範囲である。
【０１２７】
＜温泉スケール付着抑制装置の設置方法＞
以下、この発明に係る温泉スケール付着抑制装置の設置方法について、対象装置を既設温泉水配管に設置する例を挙げて説明する。
【０１２８】
１）第一例（図１３参照）
既設温泉水配管への対象装置の設置方法の第一例は、図６（ａ）に示す分岐部２８、２９を使用する例であり、次の工程を有する。
[工程１]既設の温泉水配管１における温泉水の流通を停止させ、引き続く設置工事に備える（図１３（ａ））。
[工程２]既設の温泉水配管１の離隔した二箇所において、当該温泉水配管１から、その管軸方向に沿ったある程度の長さの領域を切除又は取り外す（図１３（ｂ））。これにより、温泉水移送経路を分断するとともに、当該二箇所のうち一箇所において、互いに離隔して対面する第一の管端開口部Ｉ及び第二の管端開口部IIを形成し、残りの箇所において、互いに離隔して対面する第三の管端開口部III及び第四の管端開口部IVを形成する。
なお、第一の管端開口部Iと第三の管端開口部IIIは、上記の切除又は取り外しにより画定された温泉水配管１の両端に相当する。第二の管端開口部IIを備える温泉水配管１の残部は、配管経路１Ａの主たる部分を構成するものとして、第三の管端開口部IIIを備える温泉水配管１の残部は、配管経路１Ｂの主たる部分を構成するものとして、温泉水移送経路の再形成のために活用される。
[工程３]前記二箇所の間の温泉水配管１の両端に相当する第一の管端開口部Ｉ及び第三の管端開口部IIIに近い位置にある温泉水配管１に、穿孔、拡孔等の加工を施すことで開口部を形成する。この開口部は、配管経路１Ａ、１Ｂを接続することができる開口部Ｃ0であってよく、配管経路１Ａ、１Ｂの一部１ａ、１ｂを構成する枝管との接続することができる開口部であってもよい。後者の場合、つまり図１３（ｃ）に示すように、温泉水配管１に設けた開口部に当該枝管の一端を接続する場合には、当該枝管の他端の開口部が開口部Ｃ0である。
[工程４]前記二箇所の間の温泉水配管１の一端が位置する接続位置Ｃ[1-28]において、分岐部２８の一端を第一の管端開口部Ｉに取り付け、その他端が位置する接続位置、Ｃ[1-29]において、
分岐部２９の一端を第三の管端開口部IIIに取り付ける（（図１３（ｄ））。
[工程５]順序は問わないが、次の接続を行う（（図１３（ｅ））。
（i）開口部Ｃ0に直接又は別途用意した配管を介して、温泉水配管１の第二の管端開口部II及び第四の管端開口部IVを接続する。これにより被処理温泉水配管が配管経路１Ａ、１Ｂに接続し、温泉水移送経路を再形成する。
（ii）接続位置Ｃ[2-28]においてピグ投入・回収用配管２を分岐部２８の他端に取り付け、接続位置、Ｃ[3-29]においてピグ投入・回収用配管３を分岐部２９の他端に取り付ける。これにより、ピグ移動経路のうち、温泉水配管経路１内から移動してきたピグ４１の、分岐部２８、２９通過後の移動経路を形成する。
【０１２９】
２）第二例（図１４参照）
既設温泉水配管への対象装置の設置方法の第二例は、第一例と同様に、図６（ａ）に示す分岐部２８、２９を使用する例であり、次の工程を有する。
[工程１]第一例の工程１と同じである（図１４（ａ））。
[工程２]第一例の工程２と同じである（図１４（ｂ））。
[工程３]前記二箇所の間の温泉水配管１の両端に相当する第一の管端開口部Ｉ及び第三の管端開口部IIIに、それぞれ、分岐継手Ｊa、Ｊbの一端を取り付ける。
分岐継手Ｊa、Ｊbが備える分岐管の開口部は、配管経路１Ａ、１Ｂを接続することができる開口部Ｃ0であってよく、配管経路１Ａ、１Ｂの一部１ａ、１ｂを構成する配管の開口部であってもよい。後者の場合、つまり図１４（ｃ）に示すように、分岐継手Ｊa、Ｊbが備える分岐管の開口部が開口部Ｃ0である。
第一の管端開口部Ｉ及び第三の管端開口部IIIに分岐継手Ｊa、Ｊbの一端を取り付けると、第一の管端開口部Ｉと第三の管端開口部IIIの間の温泉水配管１は延伸して見える。この点に着目すると、工程４以降において、第一の管端開口部Ｉに一端が取り付けられた分岐継手Ｊaの他端の開口部I+は、当該第一の管端開口部Ｉと同等なものとして、また第三の管端開口部IIIに一端が取り付けられた分岐継手Ｊbの他端の開口部III+は、当該第三の管端開口部IIIと同等なものとして、取扱うことができる。
[工程４]接続位置Ｃ[1-28]において、分岐部２８の一端を分岐継手Ｊaの管端開口部I+に取り付け、接続位置、Ｃ[1-29]において、分岐部２９の一端を分岐継手Ｊbの管端開口部III+に取り付ける（（図１４（ｄ））。
[工程５]第一例の工程５と同じである（図１４（ｅ））。
【０１３０】
３）第三例（図１５参照）
既設温泉水配管への対象装置の設置方法の第三例は、図６（ｃ）に示す分岐部２８、２９を使用する例であり、次の工程を有する。
[工程１]第一例の工程１と同じである（図１５（ａ））。
[工程２]第一例の工程２と同じである（図１５（ｂ））。
[工程３]第二例の工程３と同じである（図１５（ｃ））。
[工程４]  接続位置Ｃ[2-28]*において、分岐部２８の一部である直管部２８ｂの一端を分岐継手Ｊaの管端開口部I+に取り付け、接続位置Ｃ[3-29]*において、分岐部２９の一部である直管部２９ｂの一端を分岐継手Ｊbの管端開口部III+に取り付ける（図１５（ｄ））。
[工程５]接続位置Ｃabにおいて、分岐部２８の一部である曲管部２８ａの一端を直管部２８ｂの他端に取り付け、接続位置Ｃ[3-29]*において、分岐部２９の一部である曲管部２９ａの一端を直管部２９ｂの他端に取り付ける。
[工程６]第二例の工程５と同じである（図１５（f））。
【０１３１】
４）第四例（図１６参照）
既設温泉水配管への対象装置の設置方法の第四例は、図６（ｃ）に示す分岐部２８、２９を使用する例であり、次の工程を有する。
[工程１]第一例の工程１と同じである（図１６（ａ））。
[工程２]第一例の工程２と同じである（図１６（ｂ））。
[工程３]第二例の工程３と同じである（図１６（ｃ））。
[工程４]接続位置Ｃ[2-28]*において、接続位置Ｃab*において曲管部２８ａと一体化している直管部２８ｂの一端（つまり図６（ｃ）に示す分岐部２８の一端）を分岐継手Ｊaの管端開口部I+に取り付け、接続位置Ｃ[3-29]*において、分接続位置Ｃab*において曲管部２９ａと一体化している直管部２９ｂの一端（つまり図６（ｄ））。
[工程５]接続位置Ｃabにおいて、分岐部２８の一部である曲管部２８ａの他端（つまり図６（ｃ）に示す分岐部２９の他端）を直管部２８ｂの他端に取り付け、接続位置Ｃ[3-29]*において、分岐部２９の一部である曲管部２９ａの他端（つまり（つまり図６（ｃ）に示す分岐部２９の他端）を直管部２９ｂの他端に取り付ける（図１６（ｅ））。
[工程６]第二例の工程５と同じである（図１６（f））。
【０１３２】
５）第五例（図１７参照）
既設温泉水配管への対象装置の設置方法の第五例は、図７（ｄ）に示す分岐部２８、２９を使用する例であり、次の工程を有する。
[工程１]第一例の工程１と同じである（図１７（ａ））。
[工程２]第一例の工程２と同じである（図１７（ｂ））。
[工程３]第一例の工程４と同じである（図１７（ｃ））。
[工程４]第一例の工程５と同じである（図１７（ｄ））。
【０１３３】
上記のいずれの例においても、温泉水の流れを一時的に停止させたうえで、まず、温泉水移送経路分断工程において温泉水配管１の途中の一部を除去又は取り外し、互いに離隔して対面する第一の管端開口部I及び第二の管端開口部IIならびに互いに離隔して対面する第三の管端開口部III及び第四の管端開口部IVを温泉水配管１に形成することにより、温泉水配管経路を分断する（温泉水移送経路分断工程に相当する各例の工程２参照）。被処理温泉水配管は、第一の管端開口部Iと第三の管端開口部IIIの間の温泉水配管と概ね同じであるが、より正確には一組の接続位置Ｃ0（又はＣ0*）の間の温泉水配管１と概ね同じである（それ故、この分断は、被処理温泉水配管を画定する役割も担っているといえる）。この分断は、公知の手法を用いて行うことができ、容易である。
【０１３４】
引き続き、大きな曲率半径で湾曲する曲管部を備える分岐部２８、２９を第一の管端開口部Ｉ及び第三の管端開口部IIIのそれぞれに取り付けて、分岐部２８、２９内から被処理温泉水配管内へのピグ４１の移動及び／又はその逆方向のピグ４１の円滑な移動を可能にするピグ移動経路を形成する（ピグ移動経路形成工程に相当する第一例の工程４、第二例の工程３及び工程４及び第三例の工程３参照）。
【０１３５】
更に、分岐部２８、２９が取り付けられている側の温泉水配管１又は分岐部２８、２９に設けられた又は予め設けられている一組の開口部Ｃ（又は一組の開口部Ｃ*）と第二の管端開口部II及び第四の管端開口部IVのそれぞれとを配管で接続することにより、温泉水移送経路を再形成する（温泉水移送経路再形成工程に相当する各例の工程５（i）及び（ii）参照）。この再形成も、公知の手法を用いて行うことができ、容易である。
【０１３６】
総じて、上記のいずれの例によっても、対象装置の設置を比較的容易に又は効率的に行なうことができ、最終的に、対象装置の設置工事をより短期で完了させることができる。
【０１３７】
なお、上記のいずれの例においても、分岐部２８、２９と温泉水配管１との接続、分岐部２８、２９とピグ投入・回収用配管との接続、温泉水配管１と配管経路１Ａ、１Ｂとの接続などは、フランジ継手、管継手などの公知の接続手段を使用して行うことができる。
【０１３８】
上記のいずれの例においても、温泉水配管１の離隔する二箇所に分岐部２８、２９を取り付けて、一方の分岐部２８内から温泉水配管１（被処理温泉水配管）内を経由して他方の分岐部２９内へのピグ４１の移動及び／又はその逆方向のピグ４１の移動を可能にするピグ移動経路を構成している。しかし、対象装置は、被処理温泉水配管の管内クリーニングを行なう装置であるので、一方の分岐部２８内から温泉水配管１（被処理温泉水配管）内へのピグの移動及び／又はその逆方向のピグの移動を実現できれば足り、従って温泉水配管１の少なくとも一箇所に分岐部２８（又は２９）を取り付ければ足りる。この発明に係る温泉スケール付着抑制装置の設置方法は、この発明の第７の形態のように、温泉水配管１の二箇所に分岐部を取り付けることを必須とする場合もあれば、第１の形態のように、少なくとも一箇所に分岐部を取り付けることを必須とする場合もある。
【符号の説明】
【０１３９】
１：温泉水配管
１Ａ、１Ｂ：配管経路
１ａ、１ｂ：配管経路の一部
２、３：ピグ投入・回収用配管
４：温泉水循環配管
５：流量計
６、７：圧力計
１１：ランチャー
１２、２２、４０：ポンプ
１４、１５、１６、１７、２４、２５、２６、２７：電動弁
１８、３４：貯蔵タンク
２１：キャッチャー
２８、２９：分岐部
３１：制御装置
３２，３３：センサー
４１：ピグ
Ｉ：第一の管端開口部
II：第二の管端開口部
III：第三の管端開口部
IV：第四の管端開口部
【図１】
0006580513.tif 000002
【図２】
0006580513.tif 000003
【図３】
0006580513.tif 000004
【図４】
0006580513.tif 000005
【図５】
0006580513.tif 000006
【図６】
0006580513.tif 000007
【図７】
0006580513.tif 000008
【図８】
0006580513.tif 000009
【図９】
0006580513.tif 000010
【図１０】
0006580513.tif 000011
【図１１】
0006580513.tif 000012
【図１２】
0006580513.tif 000013
【図１３】
0006580513.tif 000014
【図１４】
0006580513.tif 000015
【図１５】
0006580513.tif 000016
【図１６】
0006580513.tif 000017
【図１７】
0006580513.tif 000018